(57)【要約】【課題】送受信電極をトランシーバ本体から離すとともに、電気光学素子用のグランド電極および回路用のグランド電極をトランシーバ本体から離して生体に誘起される電界強度の低下を防止し、グランドの明確化を図り、通信品質の向上を図ったトランシーバを提供する。【解決手段】送信回路１０３および電界検出光学部１１０を送受信電極１０５に接続するための第１接続部１５０を介して送受信電極１０５を離して接続し、電界検出光学部１１０を第１グランド電極１３１に接続するための第２接続部１５１を介して第１グランド電極１３１を離して接続し、受信回路１１４を第２グランド電極１３２に接続するための第３接続部１５２を介して第２グランド電極１３２を離して接続し、送信回路１０３を第３グランド電極１３３に接続するための第４接続部１５３を介して第３グランド電極１３３を離して接続している。【選択図】　　　図１
2004128536.tif 000002
【特許請求の範囲】
【請求項１】
送信すべき情報に基づく電界を電界伝達媒体に誘起し、この誘起した電界を用いて情報の送受信を行うトランシーバであって、
電界伝達媒体に対して電界を誘起し、電界伝達媒体に誘起された電界を受信する送受信電極と、
送信すべき情報に基づく電界を前記送受信電極を介して電界伝達媒体に誘起させるべく前記送受信電極に送信情報を供給する送信回路と、
前記送受信電極で電界伝達媒体から受信した電界を検出する電界検出光学部と、
この電界検出光学部から出力される検出信号を信号処理して受信情報として出力する受信回路と、
前記送信回路および電界検出光学部を前記送受信電極に接続する第１接続部と、
前記電界検出光学部内の電気光学素子に電界を効率的に結合させるための第１グランド電極を接続する第２接続部と、
前記送信回路および受信回路のグランドを強化するための回路用のグランド電極を接続する回路用グランド電極の接続部と
を有することを特徴とするトランシーバ。
【請求項２】
前記回路用のグランド電極は、前記受信回路のグランドを強化するための第２グランド電極と前記送信回路のグランドを強化するための第３グランド電極とを別々に有し、
前記回路用グランド電極の接続部は、前記第２グランド電極を接続する第３接続部と前記第３グランド電極を接続する第４接続部とを別々
に有することを特徴とする請求項１記載のトランシーバ。
【発明の詳細な説明】
【０００１】
【発明の属する技術分野】
本発明は、例えばウェアラブルコンピュータ（身体につけるコンピュータ）間などのデータ通信のために使用されるトランシーバに関し、更に詳しくは、送信すべき情報に基づく電界を電界伝達媒体に誘起させ、この誘起した電界を用いて情報の送受信を行うトランシーバに関する。
【０００２】
【従来の技術】
携帯端末の小型化および高性能化によりウェアラブルコンピュータが注目されてきているが、図２はこのようなウェアラブルコンピュータを人間に装着して使用する場合の例を示している。同図に示すように、ウェアラブルコンピュータ１はそれぞれトランシーバ３を介して人間の腕、肩、胴体などに装着されて互いにデータの送受信を行うとともに、更に壁や床などに設けられて手足の先端で触れられるトランシーバ３ａ，３ｂとケーブルとを介して外部に設けられたパソコン（ＰＣ）５と通信を行うようになっている。
【０００３】
このようにウェアラブルコンピュータ１はトランシーバ３を介して生体である人間に装着してデータ通信を行うが、このトランシーバ３ではウェアラブルコンピュータ１からの送信データを電界として電界伝達媒体である生体に誘起し、図２において波線で示すように電界として生体の他の部位に伝達し、また生体に誘起され伝達されてくる電界を受信データとしてトランシーバ３で受信してウェアラブルコンピュータ１に送るようになっている。
【０００４】
トランシーバ３は、図３に示すように構成され、ウェアラブルコンピュータ１からの送信データを入出力（Ｉ／Ｏ）回路１０１を介して受け取ると、この送信データを送信回路１０３を介して送受信電極１０５に供給し、該送受信電極１０５から絶縁膜１０７を介して電界伝達媒体である生体１００に電界を誘起させ、この電界を生体１００を介して生体１００の他の部位に伝達させる。
【０００５】
また、トランシーバ３は、生体１００の他の部位に装着された別のトランシーバ３から生体１００に誘起させられて伝達されてくる電界を絶縁膜１０７を介して送受信電極１０５で受信し、この受信した電界を電界検出光学部１１０に結合して電気信号に変換する。この電気信号は、信号処理回路１１３で増幅、雑音除去などの信号処理を施され、更に波形整形回路１１５で波形整形されデジタル信号に変換されてから、入出力回路１０１を介してウェアラブルコンピュータ１に供給されるようになっている。
【０００６】
上記トランシーバ３の電界検出光学部１１０は、生体１００に誘起されて伝達され、絶縁膜１０７、送受信電極１０５を介して結合される電界を検出し、電気信号に変換して信号処理回路１１３に出力するように機能するものであるが、詳しくは図４に示すように構成されている。
【０００７】
図４に示す電界検出光学部１１０は、レーザ光と電気光学結晶を用いた電気光学的手法により電界を検出するものであり、レーザ光源を構成するレーザダイオード１２１および電気光学結晶からなる電気光学素子１２３を有する。なお、電気光学素子１２３は、レーザダイオード１２１からのレーザ光の進行方向に対して直角方向に結合される電界に感度を有し、この電界強度によって光学特性、すなわち複屈折率が変化し、この複屈折率の変化によりレーザ光の偏光が変化するようになっている。
【０００８】
電気光学素子１２３の図上で上下方向に対向する両側面には第１および第２電極１２５，１２７が設けられている。なお、この第１および第２電極１２５，１２７は、レーザダイオード１２１からのレーザ光の電気光学素子１２３内における進行方向を両側から挟み、レーザ光に対して電界を直角に結合させるようになっている。
【０００９】
電界検出光学部１１０は、図３に示したと同じ送受信電極１０５を有し、この送受信電極１０５は第１電極１２５に接続されている。また、第１電極１２５に対向する第２電極１２７は、第１グランド電極１３１に接続され、第１電極１２５に対してグランド電極として機能するように構成されている。送受信電極１０５は、生体１００に誘起されて伝達されてくる電界を検出すると、この電界を第１電極１２５に伝達し、第１電極１２５を介して電気光学素子１２３に結合するようになっている。
【００１０】
レーザダイオード１２１から出力されるレーザ光は、コリメートレンズ１３４を介して平行光にされ、平行光となったレーザ光は第１波長板１３５で偏光状態を調整されて電気光学素子１２３に入射する。電気光学素子１２３に入射したレーザ光は、電気光学素子１２３内で第１、第２電極１２５，１２７の間を伝播するが、このレーザ光の伝播中において上述したように送受信電極１０５が生体１００に誘起されて伝達されてくる電界を受け、この電界が第１電極１２５を介して電気光学素子１２３に結合すると、この電界は第１電極１２５から第１グランド電極１３１に接続されている第２電極１２７に向かって形成されて、レーザダイオード１２１から電気光学素子１２３に入射したレーザ光の進行方向に直角であるため、電気光学素子１２３の光学特性である複屈折率が変化し、これによりレーザ光の偏光が変化する。
【００１１】
このように電気光学素子１２３において第１電極１２５からの電界によって偏光が変化したレーザ光は、第２波長板１３７で偏光状態を調整されて偏光ビームスプリッタ１３９に入射する。偏光ビームスプリッタ１３９は、第２波長板１３７から入射されたレーザ光をＰ波およびＳ波に分離して、光の強度変化に変換する。この偏光ビームスプリッタ１３９でＰ波成分およびＳ波成分に分離されたレーザ光は、それぞれ第１、第２集光レンズ１４１ａ，１４１ｂで集光されてから、第１、第２フォトダイオード１４３ａ，１４３ｂに供給され、第１、第２フォトダイオード１４３ａ，１４３ｂにおいてＰ波光信号とＳ波光信号をそれぞれの電気信号に変換して出力するようになっている。
【００１２】
上述したように第１、第２フォトダイオード１４３ａ，１４３ｂから出力される電気信号は、図３に示す信号処理回路１１３で増幅、雑音除去などの信号処理を施されてから、波形整形回路１１５で波形整形され、入出力回路１０１を介してウェアラブルコンピュータ１に供給されることになる。
【００１３】
なお、上述したように構成される従来のトランシーバは、送受信電極１０５がトランシーバ本体と一体的に構成されたり、電気光学素子１２３用のグランド電極や回路用のグランド電極を特に設けないか、設けてもトランシーバ本体と一体的に構成されている。
【００１４】
【特許文献１】
特開２００１−３５２２９８号公報
【００１５】
【特許文献２】
特開２００１−２９８４２５号公報
【００１６】
【発明が解決しようとする課題】
上述した従来のトランシーバにおいて、送受信電極１０５から生体１００に注入された電界のすべてが生体１００を通って他のトランシーバの送受信電極１０５から電界検出光学部１１０の電気光学素子１２３に伝達されればよいが、従来のトランシーバは送受信電極１０５がトランシーバ本体と一体的に構成されたり、電気光学素子１２３用のグランド電極や回路用のグランド電極を特に設けないか、設けてもトランシーバ本体と一体的に構成されているため、生体１００に注入された電界は、生体１００から大地グランドに漏れる以外に、トランシーバの各グランド電極などから混入する不要な電磁波や逆位相の電界と打ち消し合ったりして、生体１００に誘起される電界や電気光学素子１２３に伝達される電界が低下し、通信品質が劣化するという問題がある。
【００１７】
また、トランシーバは電気光学素子１２３にグランド電極を設けなくても動作するが、グランド電極を設けない場合には、電気光学素子１２３に結合される電界が低下して通信品質が劣化するという問題がある。
【００１８】
更に、トランシーバの送信回路１０３、信号処理回路１１３、波形整形回路１１５などの回路にグランド電極を設けない場合には、回路のグランドが揺れて生体に誘起される電界の大きさが低下して通信品質が劣化するという問題がある。
【００１９】
本発明は、上記に鑑みてなされたもので、その目的とするところは、送受信電極をトランシーバ本体から離すとともに、電気光学素子用のグランド電極および回路用のグランド電極をトランシーバ本体から離して生体に誘起される電界の低下を防止し、グランドの明確化および強化を図り、通信品質の向上を図ったトランシーバを提供することにある。
【００２０】
【課題を解決するための手段】
上記目的を達成するため、請求項１記載の本発明は、送信すべき情報に基づく電界を電界伝達媒体に誘起し、この誘起した電界を用いて情報の送受信を行うトランシーバであって、電界伝達媒体に対して電界を誘起し、電界伝達媒体に誘起された電界を受信する送受信電極と、送信すべき情報に基づく電界を前記送受信電極を介して電界伝達媒体に誘起させるべく前記送受信電極に送信情報を供給する送信回路と、前記送受信電極で電界伝達媒体から受信した電界を検出する電界検出光学部と、この電界検出光学部から出力される検出信号を信号処理して受信情報として出力する受信回路と、前記送信回路および電界検出光学部を前記送受信電極に接続する第１接続部と、前記電界検出光学部内の電気光学素子に電界を効率的に結合させるための第１グランド電極を接続する第２接続部と、前記送信回路および受信回路のグランドを強化するための回路用のグランド電極を接続する回路用グランド電極の接続部とを有することを要旨とする。
【００２１】
請求項１記載の本発明にあっては、第１接続部により送受信電極が接続されるようになっているため、この第１接続部を介して送受信電極を離して設けることにより、トランシーバの各部や各グランド電極などからの不要な電磁波や逆位相の電界などが送受信電極に入ることを低減でき、これにより送受信電極における本来の電界が低減することを防止でき、通信品質を向上することができるとともに、また第２接続部および回路用グランド電極の接続部により電界検出光学部内の電気光学素子用の第１グランド電極および回路用のグランド電極がそれぞれ接続され得るようになっているため、第２接続部を介して第１グランド電極を離して設け、また回路用グランド電極の接続部を介して回路用のグランド電極を離して設けることにより、電気光学素子および回路に対するグランドの明確化および強化が図られ、これにより電気光学素子に結合する電界量を増大でき、回路に対してはグランドが揺れるなどして信号レベルが低下することが防止でき、また第１グランド電極および回路用のグランド電極を離して設けることにより、第１グランド電極および回路用のグランド電極からの不要な電磁波や逆位相の電界などが送受信電極などに混入して送受信電極における電界を低減することを防止でき、通信品質を向上することができる。
【００２２】
また、請求項２記載の本発明は、請求項１記載の発明において、前記回路用のグランド電極が、前記受信回路のグランドを強化するための第２グランド電極と前記送信回路のグランドを強化するための第３グランド電極とを別々に有し、前記回路用グランド電極の接続部が、前記第２グランド電極を接続する第３接続部と前記第３グランド電極を接続する第４接続部とを別々に有することを要旨とする。
【００２３】
請求項２記載の本発明にあっては、第３接続部により受信回路用の第２グランド電極が接続され得るようになっているとともに、また第４接続部により送信回路用の第３グランド電極が接続され得るようになっているため、第３、第４接続部を介して受信回路および送信回路用の第２、第３グランド電極を離して設けることにより、受信回路および送信回路に対するグランドの明確化および強化が図られ、これによりグランドが揺れるなどして生体に誘起される電界強度が低下することが防止されるとともに、また受信回路および送信回路用の第２、第３グランド電極を離して設けることにより、第２、第３グランド電極からの不要な電磁波や逆位相の電界などが送受信電極などに混入して送受信電極における電界が低下することを防止でき、通信品質を向上することができる。
【００２４】
【発明の実施の形態】
以下、図面を用いて本発明の実施の形態を説明する。図１は、本発明の一実施形態に係るトランシーバの構成を示すブロック図である。
【００２５】
同図に示す実施形態のトランシーバ３０は、図３に示した従来のトランシーバ３と回路的には基本的に同じ構成であり、ウェアラブルコンピュータ１に接続されてデータの入出力を行う入出力回路１０１、生体１００に絶縁膜１０７を介して取り付けられる送受信電極１０５、この送受信電極１０５と入出力回路１０１との間に設けられている送信回路１０３、電界検出光学部１１０、信号処理回路１１３と波形整形回路１１５からなる受信回路１１４を有することは同じであるが、送受信電極１０５から生体１００に誘起される電界がトランシーバの各グランド電極などから混入する不要な電磁波や逆位相の電界と打ち消し合ったりして、生体１００に誘起される電界や電気光学素子１２３に伝達される電界が低下することを防止し、またグランドの強化を図るために送受信電極１０５および各グランド電極をトランシーバ本体３０ａから離して設けられ得るように構成されている点が従来と異なるものである。
【００２６】
更に詳しくは、図１に示すように、本実施形態のトランシーバ３０は、トランシーバ本体３０ａと、この本体３０ａの外部に設けられている送受信電極１０５、絶縁膜１０７、第１グランド電極１３１、第２グランド電極１３２、第３グランド電極１３３とから構成され、これらの外部に設けられた各電極とトランシーバ本体３０ａとの間はそれぞれ第１接続部１５０、第２接続部１５１、第３接続部１５２、第４接続部１５３を介して接続されている。
【００２７】
すなわち、トランシーバ本体３０ａの外部に設けられた各電極のうち、送受信電極１０５は、第１接続部１５０を介してトランシーバ本体３０ａ内の送信回路１０３および電界検出光学部１１０に接続されている。なお、第１接続部１５０は、送信回路１０３と電界検出光学部１１０を送受信電極１０５に電気的に接続するものであるが、この第１接続部１５０を介して送受信電極１０５がトランシーバ本体３０ａの外部に離れて設けられるようになっているものである。
【００２８】
また、第１グランド電極１３１は、図４に示したものであり、電界検出光学部１１０内の電気光学素子１２３に電界を効率的に結合させるための電極であるが、第２接続部１５１を介してトランシーバ本体３０ａ内の電界検出光学部１１０に接続されている。詳しくは、第１グランド電極１３１は、第２接続部１５１を介して電界検出光学部１１０内の電気光学素子１２３に図４に示したように接続されている。
【００２９】
なお、第２接続部１５１は、第１グランド電極１３１を電界検出光学部１１０に対して距離的に離しながら電気的に接続するものであるとともに、この第１グランド電極１３１の電気的接続を解除し得るように接続端子または接続用コネクタを備えていて、この接続端子または接続用コネクタにより第１グランド電極１３１を第２接続部１５１を介して電界検出光学部１１０に電気的に接続したり、または第１グランド電極１３１を取り外して、電界検出光学部１１０を第１グランド電極１３１から電気的に切り離すことができるようになっている。
【００３０】
更に、第２グランド電極１３２は、第３接続部１５２を介してトランシーバ本体３０ａ内の受信回路１１４を構成する信号処理回路１１３と波形整形回路１１５のグランドに接続され、また第３グランド電極１３３は、第４接続部１５３を介してトランシーバ本体３０ａ内の送信回路１０３のグランドに接続されている。
【００３１】
なお、第３接続部１５２は、第２グランド電極１３２を受信回路１１４に対して距離的に離しながら電気的に接続するものであるとともに、この第２グランド電極１３２の電気的接続を解除し得るように接続端子または接続用コネクタを備えていて、この接続端子または接続用コネクタにより第２グランド電極１３２を第３接続部１５２を介して受信回路１１４に電気的に接続したり、または第２グランド電極１３２を取り外して、受信回路１１４を第２グランド電極１３２から切り離すことができるようになっているものである。また同様に、第４接続部１５３も、第３グランド電極１３３を送信回路１０３に対して距離的に離しながら電気的に接続するものであるとともに、この第３グランド電極１３３の電気的接続を解除し得るように接続端子または接続用コネクタを備えていて、この接続端子または接続用コネクタにより第３グランド電極１３３を第４接続部１５３を介して送信回路１０３に電気的に接続したり、または第３グランド電極１３３を送信回路１０３から切り離すことができるようになっているものである。
【００３２】
以上のように構成される本実施形態のトランシーバ３０では、まず送受信電極１０５が第１接続部１５０を介してトランシーバ本体３０ａの外部に離れて設けられ得るようになっているため、トランシーバ本体３０ａや各グランド電極からの不要な電磁波や逆位相の電界などが送受信電極１０５に入ることが低減され、これにより送受信電極１０５における本来の電界が低下することを防止することができ、通信品質を向上することができる。
【００３３】
また、電界検出光学部１１０用の第１グランド電極１３１が第２接続部１５１を介してトランシーバ本体３０ａの外部に離して設けられ得るようになっているため、電界検出光学部１１０の電気光学素子１２３に対するグランドの明確化および強化が図られ、これにより電気光学素子１２３に結合する電界量を増大することができるとともに、また第１グランド電極１３１を外部に離して設けることにより、第１グランド電極１３１からの不要な電磁波や逆位相の電界などが送受信電極１０５などに混入して送受信電極１０５における電界が低下することを防止でき、通信品質を向上することができる。
【００３４】
また、第１グランド電極１３１は、上述したように、第２接続部１５１において接続端子または接続用コネクタにより電界検出光学部１１０に接続されているものであるため、この接続端子または接続用コネクタの部分で第１グランド電極１３１を取り外すことができ、これにより電界検出光学部１１０を第１グランド電極１３１から電気的に切り離すこともできるようになっているが、場合によっては、このように第１グランド電極１３１を取り外すことがよい場合もある。
【００３５】
すなわち、一般的には、第１グランド電極１３１を電界検出光学部１１０に接続すると、トランシーバ３０の通信品質は良好になるものであるが、第１グランド電極１３１を電界検出光学部１１０に接続した状態が常にトランシーバ３０の通信品質を最も良い状態にするとは限らず、場合によっては、第１グランド電極１３１を接続すると、通信品質が悪くなるような場合もある。そこで、本実施形態においては、第１グランド電極１３１を第２接続部１５１で接続端子や接続用コネクタにより取り外し得るように構成しているものである。
【００３６】
更に、受信回路１１４用の第２グランド電極１３２が第３接続部１５２を介してトランシーバ本体３０ａの外部に離して設けられ得るようになっているため、受信回路１１４に対するグランドの明確化および強化が図られ、これによりグランドが揺れるなどして信号レベルが低下することが防止されるとともに、また第２グランド電極１３２を外部に離して設けることにより、第２グランド電極１３２からの不要な電磁波や逆位相の電界などが送受信電極１０５などに混入して送受信電極１０５における電界が低下することを防止でき、通信品質を向上することができる。
【００３７】
また、第２グランド電極１３２は、第３接続部１５２において接続端子または接続用コネクタにより受信回路１１４に接続されているものであるため、この接続端子または接続用コネクタの部分で第２グランド電極１３２を取り外すことができ、これにより受信回路１１４を第２グランド電極１３２から切り離すこともできるようになっているが、場合によっては、このように第２グランド電極１３２を取り外すことがよい場合もある。
【００３８】
すなわち、一般的には、第２グランド電極１３２を受信回路１１４に接続すると、トランシーバ３０の通信品質は良好になるものであるが、第２グランド電極１３２を受信回路１１４に接続した状態が常にトランシーバの通信品質を最も良い状態にするとは限らず、場合によっては、第２グランド電極１３２を接続すると、通信品質が悪くなるような場合もある。そこで、本実施形態においては、第２グランド電極１３２を第３接続部１５２で接続端子や接続用コネクタにより取り外し得るように構成しているものである。
【００３９】
また更に、送信回路１０３用の第３グランド電極１３３が第４接続部１５３を介してトランシーバ本体３０ａの外部に離して設けられ得るようになっているため、送信回路１０３に対するグランドの明確化および強化が図られ、これによりグランドが揺れるなどして生体に誘起される電界強度が低下することが防止されるとともに、また第３グランド電極１３３を外部に離して設けることにより、第３グランド電極１３３からの不要な電磁波や逆位相の電界などが送受信電極１０５などに混入して送受信電極１０５における電界が低下することを防止でき、通信品質を向上することができる。
【００４０】
また、第３グランド電極１３３は、第４接続部１５３において接続端子または接続用コネクタにより送信回路１０３に接続されているものであるため、この接続端子または接続用コネクタの部分で第３グランド電極１３３を取り外すことができ、これにより送信回路１０３を第３グランド電極１３３から切り離すこともできるようになっているが、場合によっては、このように第３グランド電極１３３を取り外すことがよい場合もある。
【００４１】
すなわち、一般的には、第３グランド電極１３３を送信回路１０３に接続すると、トランシーバ３０の通信品質は良好になるものであるが、第３グランド電極１３３を送信回路１０３に接続した状態が常にトランシーバの通信品質を最も良い状態にするとは限らず、場合によっては、第３グランド電極１３３を接続すると、通信品質が悪くなるような場合もある。そこで、本実施形態においては、第３グランド電極１３３を第４接続部１５３で接続端子や接続用コネクタにより取り外し得るように構成しているものである。
【００４２】
なお、上記実施形態では、受信回路１１４および送信回路１０３に対して第２グランド電極１３２および第３グランド電極１３３を別々に設けているが、第２グランド電極１３２と第３グランド電極１３３を共通にして１つのグランド電極で構成し、この１つのグランド電極を受信回路１１４および送信回路１０３の両回路に共通に接続してもよいものである。この場合には、第３接続部１５２と第４接続部１５３も１つの共通な接続部となる。
【００４３】
なお、各グランド電極としては、例えば銅板をトランシーバ本体から離して設けたり、またはトランシーバ本体のケース内においても回路が設けられている部分から離して設けたり、またはストラップ状のケーブルをトランシーバのケースからぶら下げるなどの構成も考えられる。
【００４４】
【発明の効果】
以上説明したように、本発明によれば、第１接続部により送受信電極が接続されるようになっているので、この第１接続部を介して送受信電極を離して設けることにより、トランシーバの各部や各グランド電極などからの不要な電磁波や逆位相の電界などが送受信電極に入ることを低減でき、これにより送受信電極における本来の電界が低下することを防止でき、通信品質を向上することができるとともに、また第２接続部および回路用グランド電極の接続部により電界検出光学部内の電気光学素子用の第１グランド電極および回路用のグランド電極がそれぞれ接続され得るようになっているため、第２接続部を介して第１グランド電極を離して設け、また回路用グランド電極の接続部を介して回路用のグランド電極を離して設けることにより、電気光学素子および回路に対するグランドの明確化および強化が図られ、これにより電気光学素子に結合する電界量を増大でき、回路に対してはグランドが揺れるなどして生体に誘起される電界強度が低下することが防止でき、また第１グランド電極および回路用のグランド電極を離して設けることにより、第１グランド電極および回路用のグランド電極からの不要な電磁波や逆位相の電界などが送受信電極などに混入して送受信電極における電界を低減することを防止でき、通信品質を向上することができる。
【００４５】
また、本発明によれば、第３接続部により受信回路用の第２グランド電極が接続され得るようになっているとともに、また第４接続部により送信回路用の第３グランド電極が接続され得るようになっているので、第３、第４接続部を介して受信回路および送信回路用の第２、第３グランド電極を離して設けることにより、受信回路および送信回路に対するグランドの明確化および強化が図られ、これによりグランドが揺れるなどして信号レベルが低下することが防止されるとともに、また受信回路および送信回路用の第２、第３グランド電極を離して設けることにより、第２、第３グランド電極からの不要な電磁波や逆位相の電界などが送受信電極などに混入して送受信電極における電界が低下することを防止でき、通信品質を向上することができる。
【図面の簡単な説明】
【図１】本発明の一実施形態に係るトランシーバの構成を示すブロック図である。
【図２】トランシーバを介してウェアラブルコンピュータを人間に装着して使用する場合の例を示す説明図である。
【図３】ウェアラブルコンピュータを生体に取りつけるためのトランシーバの回路構成を示すブロック図である。
【図４】図３に示すトランシーバに使用されている電界検出光学装置の構成を示す図である。
【符号の説明】
３０　トランシーバ
３０ａ　トランシーバ本体
１００　生体
１０３　送信回路
１０５　送受信電極
１１０　電界検出光学部
１１４　受信回路
１３１　第１グランド電極
１３２　第２グランド電極
１３３　第３グランド電極
１５０　第１接続部
１５１　第２接続部
１５２　第３接続部
１５３　第４接続部
【図１】
2004128536.tif 000003
【図２】
2004128536.tif 000004
【図３】
2004128536.tif 000005
【図４】
2004128536.tif 000006